(57)【特許請求の範囲】
【請求項１】
ボックスに設けられた被探知部を探知するための固定されたセンサー部を備えたボックス探知器であって、
該センサー部の直上に、探知位置を壁材に表示するための表示手段を備え、該表示手段は、壁材に押圧されて、当該押圧位置を壁材に刻設する突起体により構成されていることを特徴とするボックス探知器。
【請求項２】
ボックスに設けられた被探知部を探知するための揺動可能なセンサー部を備えたボックス探知器であって、
前記被探知部を探知した状態における前記センサー部の直上に、探知位置を壁材に表示するための表示手段を備え、該表示手段は、壁材に押圧されて、当該押圧位置を壁材に刻設する突起体により構成されていることを特徴とするボックス探知器。
【請求項３】
探知器本体の前面にクッションシートが貼り付けられて、前記突起体は、該クッションシートの圧縮により突出する構成であることを特徴とする請求項１又は２に記載のボックス探知器。
【発明の詳細な説明】
【０００１】
【発明の属する技術分野】
本発明は、ボックスに設けられた被探知部を探知するためのセンサー部を備えたボックス探知器に関するものである。
【０００２】
【従来の技術】
壁裏に設置されるボックスには、壁表から自身の位置を探知可能にするための被探知部を備えている。例えば、図２２に示されるボックスＢ3 は、ボックス本体１の上下に相対向する周壁５の外側であって、しかも開口面とぼぼ同一面となるような位置に一対の磁石Ｍ1 が設けられており、該ボックスＢ3 では、この一対の磁石Ｍ1 が自身の位置を探知可能にするための被探知部となっている。
【０００３】
図２８は、特開昭56-42167号公報に開示されている従来のボックス探知器Ａ’を用いて上記ボックスＢ3 の一対の磁石Ｍ1 の位置を壁表から探知した後に、罫書き具６１を用いて当該探知位置（Ｄ')を壁表に罫書いている状態を示す図である。ボックス探知器Ａ’には、その前面に一対の磁気センサーＳ2 を備えており、該探知器Ａ’の磁気センサーＳ2 を壁面に近接させて、ボックスＢ3 の一対の磁石Ｍ1 を磁気探知した後に、該探知器Ａ’をそのまま手前側に後退させて壁表との間に生ずる隙間に前記罫書き具６１を差し込んで、当該探知位置（Ｄ')を壁表に罫書いていた。よって、ボックス探知器Ａ’により探知された探知位置（Ｄ')を目安により罫書いているために、壁表への表示位置の精度が悪いのに加えて、罫書き具６１を使用して探知位置を表示する作業は、面倒でもあった。
【０００４】
【発明が解決しようとする課題】
本発明は、壁裏に設置されたボックスの探知位置を壁材に対して正確に、しかも簡単に表示できるボックス探知器の提供を課題としている。
【０００５】
【課題を解決するための手段】
この課題を解決するために本発明の採用した第１の手段は、ボックスに設けられた被探知部を探知するための固定されたセンサー部を備えた探知器において、該センサー部の直上に、探知位置を壁材に表示するための表示手段を設け、該表示手段は、壁材に押圧されて、当該押圧位置を壁材に刻設する突起体により構成したことである。また、その第２の手段は、ボックスに設けられた被探知部を探知するための揺動可能なセンサー部を備えたボックス探知器において、前記被探知部を探知した状態における前記センサー部の直上に、探知位置を壁材に表示するための表示手段を設け、該表示手段は、壁材に押圧されて、当該押圧位置を壁材に刻設する突起体により構成したことである。
【０００６】
いずれの手段においても、ボックス探知器のセンサー部により、壁裏のボックス類の被探知部を探知した状態において、該センサー部の直上に設けられた表示手段を構成する突起体によって、該探知位置を壁材に直接に表示できる。即ち、ボックス探知器によりボックスの被探知部を探知した位置から、該探知器を殆ど移動させることなく、そのままの位置で壁材に前記突起体を突刺することにより、前記被探知部の探知位置を刻設して表示できる。このため、壁材に表示された被探知部の位置が正確であると共に、探知位置の表示操作自体も容易となる。
【０００７】
【発明の実施の形態】
以下、実施例を挙げて、本発明を更に詳細に説明する。図１は、本発明に係るボックス探知器Ａ1 を使用してボックスＢ1 の磁石Ｍ2(第２被探知部）を探知している状態の斜視図であり、図２は、探知器Ａ1 の斜視図であり、図３は、ボックスＢ1 の斜視図である。ボックスＢ1 は、ボックス本体１の開口面の上下端部にそれぞれ金属箔Ｆが横方向に沿って貼り付けられたものであり、該金属箔Ｆは、ボックスＢ1 の外形を罫書く際の基準位置を表示するためのものであって、第１被探知部を構成している。また、図３及び図５に示されるように、ボックス本体１の底壁２には、筒体３がボックス開口４に臨んで突設されて、該筒体３の頂部に磁石Ｍ2 が埋設されている。この磁石Ｍ2 は、ボックス開口４を壁表に臨ませる透孔を壁材Ｗに円穿孔する際の該円穿孔の中心位置を表示するためのものであって、第２被探知部を構成している。また、ボックス本体１の上下方向に沿って相対向する周壁５の内側には、ボス体６が前記金属箔Ｆを介して前記ボックス開口４に臨んだ状態となって、それぞれ設けられている。この磁石Ｍ2 （第２被探知部）の位置は、図８に示されるように、２回の円穿孔による２つの透孔Ｈの重合により、前記各ボス体６のいずれもが壁表に臨み、しかもボックス開口４のみが壁表に臨むという二つの条件を満足する該２回の円穿孔の一方の中心位置である。従って、磁石Ｍ2 （第２被探知部）の位置は、ボックスＢ1 の中心（方形状のボックスの各対角線の交点をいう）からずれた位置となる。
【０００８】
また、ボックス探知器Ａ1 は、図２及び図５に示されるように、直方体状の探知器本体１１の中央部から前面に寄った部分に中空方形状の罫書案内部１２が設けられ、その後部が手持ち部１３となっていて、その前面の下端部には金属センサーＳ1 が、またその前面の上端部には磁気センサーＳ2 がそれぞれ設けられ、該磁気センサーＳ2 の中央部には、突起体１４が設けられている。また、探知器本体１１の背面部には、前記金属及び磁気の各センサーＳ1,Ｓ2 が、それぞれ金属箔Ｆ（第１被探知部）及び磁石Ｍ2(第２被探知部）を探知したことを確認するための発光ダイオード等から成る探知確認ランプＬ1,Ｌ2 がそれぞれ設けられている。
【０００９】
そして、上記ボックス探知器Ａ1 を使用して、壁裏に設置された前記ボックスＢ1 のボックス開口４を壁表に臨ませるための円穿孔の中心となる磁石Ｍ2(第２被探知部）の位置を探知するには、以下のようにして行う。このボックスＢ1 では、２回の円穿孔による各透孔の重合により、そのボックス開口４を壁表に臨ませるので、最終的には、磁石Ｍ2(第２被探知部）の位置が探知できればよい。この磁石Ｍ2(第２被探知部）は、一対の金属箔Ｆ（第１被探知部）に比較して、占有面積が小さいので、広い壁表においては、最初に一対の金属箔Ｆ（第１被探知部）のいずれかの位置を探知して、ボックスＢ1 の概略位置を求め、その後に、磁石Ｍ2(第２被探知部）の位置を探知した方が能率がよい。従って、まず、図４に示されるように、ボックス探知器Ａ1 の金属センサーＳ1 を壁表に近接させた状態で、上下左右に移動させることにより、ボックスＢ1 の上下に帯状になって設けられた金属箔Ｆ（第１被探知部）の位置を探知して、壁裏のボックスＢ1 の概略位置を探知する。このようにして、壁裏のボックスＢ1 の概略位置を探知した後に、図５に示されるように、上記概略位置の部分において、ボックス探知器Ａ1 の磁気センサーＳ2 を壁表に近接させた状態で、上下左右させて、磁石Ｍ2(第２被探知部）の位置を探知する。そして、この磁石Ｍ2(第２被探知部) の探知状態において、探知器本体１１をそのまま壁材Ｗに押圧すると、図７に示されるように、該磁気センサーＳ2 の直上に突設された前記突起体１４が壁材Ｗに突刺されて、壁裏の磁石Ｍ2(第２被探知部）の位置（Ｃ1)が壁表に刻設される。
【００１０】
次に、図６に示されるように、穿孔具Ｅによって、壁表におけるボックスＢ1 の磁石Ｍ2(第２被探知部）の前記位置（Ｃ1)を中心にして、壁材Ｗに円穿孔を行って透孔Ｈを設けると、図８に示されるように、一方のボス体６が壁表に露出した状態で、ボックス開口４のほぼ半分が壁表に臨む。また、ボックスＢ1 の開口４のほぼ全てを壁表に臨ませるための２回目の円穿孔の中心位置（Ｃ2)は、壁表に露出したボス体６の位置を基準にして、ボックスＢ1 の各種位置を表示したゲージ具（図示せず）等を使用すると、簡単に見つけ出せれる。そして、上記中心位置（Ｃ2)を中心にして、壁材Ｗに２回目の円穿孔を行うと、２つの透孔Ｈの重合により、前記各ボス体６のいずれもが壁表に臨み、しかもボックス開口４のみが壁表に臨むという二つの条件を満足する開口が壁材Ｗに設けられる。
【００１１】
引き続いて、上記ボックス探知器Ａ1 を使用してボックスＢ2 の開口４を壁表に臨ませるための２回の円穿孔の各中心位置Ｃ1,Ｃ2 を壁表に表示する例について説明する。ボックスＢ2 は、図９に示されるように、その開口４の上下端部にそれぞれ金属箔Ｆ（第１被探知部）が設けられていて、一対のボス体６に被探知具７が着脱可能に取付けられた構成である。該被探知具７は、本体板部７ａの長手方向の両端部に前記ボス体６に嵌着される半円弧状の嵌着部７ｂがそれぞれ設けられ、該本体板部７ａの長手方向の中央の厚肉部７ｃに磁石Ｍ2(第２被探知部）が設けられた構成である。従って、このボックスＢ2 では、その中心部に磁石Ｍ2(第２被探知部）が設けられている。
【００１２】
そして、上記ボックスＢ1 の場合と全く同様にして、ボックス探知器Ａ1 の金属センサーＳ1 によって、壁裏に配置されたボックスＢ2 の金属箔Ｆ（第１被探知部）を探知することにより、ボックスＢ2 の概略位置を定める。その後に、図１０に示されるようにして、ボックス探知器Ａ1 の磁気センサーＳ2 を壁材Ｗの表面に近接させて、ボックスＢ2 の磁石Ｍ2(第２被探知部）を探知した状態において、探知器本体１１を壁材Ｗに押圧させると、図１１に示されるように、前記磁気センサーＳ2 の直上に突設された突起体１４が壁材Ｗに突刺されて、壁裏のボックスＢ2 の磁石Ｍ2(第２被探知部）の位置（Ｃ0)が壁表に刻設される。壁表に表示された位置（Ｃ0)は、ボックスＢ2 の中心であるので、ボックスＢ2 の開口４を壁表に臨ませるための２回の円穿孔の各中心位置Ｃ1,Ｃ2 は、該位置（Ｃ0)を基準にして、ボックスＢ2 の各種位置を表示したゲージ具（図示せず）等を用いて簡単に表示できる。なお、ボックスＢ2 に各ボス体６に装着されている被探知具７は、着脱可能であるので、繰り返して使用できる利点がある。
【００１３】
次に、本発明に係る別のボックス探知器Ａ2 について説明する。図１２及び図１３に示されるように、本実施例の探知器Ａ2 は、縦長の直方体状の探知器本体２１の前面側の上端部に磁気センサーＳ2 が取付けられていて、該磁気センサーＳ2 と探知器本体２１との双方の部分を貫通する貫通孔２２が設けられた構成である。探知器本体２１の背面側の上端部には、前記磁気センサーＳ2 による探知を確認するための探知確認ランプＬ2 が設けられている。
【００１４】
上記ボックス探知器Ａ2 を用いて、壁裏に配置された前記ボックスＢ1 の磁石Ｍ2(第２被探知部）を磁気探知するには、以下のようにして行う。本ボックス探知器Ａ2 とは別の金属探知器（図示せず）によって、ボックスＢ1 の金属箔Ｆ（第１被探知部）を金属探知する等して、ボックスＢ1 の概略位置を探知しておく。そして、図１２及び図１３に示されるようにして、ボックスＢ1 の概略位置が金属探知された壁表において該ボックス探知器Ａ2 を上下左右に移動させて、該ボックスＢ1 の磁石Ｍ2(第２被探知部）を磁気探知したそのままの状態において、磁気センサーＳ2 の部分を壁表に密着させて、貫通孔２２に挿入した罫書きペンＰによって、壁材Ｗに円穿孔の中心位置（Ｃ1)を罫書いて表示する。
【００１５】
引き続いて、本発明に係る更に別のボックス探知器Ａ3 について説明する。図１４は、ボックス探知器Ａ3 の分解斜視図であり、図１５は、その全体斜視図であり、図１６は、その断面図であり、図１７は、指示板３３が左右方向に振れ動くことを説明するための平面模式図であり、図１８は、同じく指示板３３が周方向に振れ動くことを説明するための側面模式図である。このボックス探知器Ａ3 は、図１４ないし図１８に示されるように、同一構造の一対のケース単体３１を反転させて一体に組み付けて収納ケース３２を形成し、該収納ケース３２内に薄円板状の指示板３３がほぼ鉛直な姿勢を保って、上下及び左右の双方に振れ動き可能となって支持された構成である。ケース単体３１は、合成樹脂等の透明な材質で構成され、密着端面３４の側が開口した箱状になっていて、その長手方向の中央部に幅方向に沿って当接壁３５が設けられ、該当接壁３５の中央部に前記指示板３３を挿入配置するための指示板挿入溝３６が縦方向の全長に亘って形成されている。該当接壁３５の上端面には、一対のケース単体３１の一方を反転させて、その密着端面３４を密着させて重ね合わせた場合において、互いに嵌合し合う関係にある凹凸部が形成され、前記当接壁３５の上端面における前記凸部と、前記密着端面３４と同一平面となっている部分には、後述の支持軸４２の挿入溝３７（図１６参照）が設けられている。
【００１６】
薄円板状をした前記指示板３３は、図１４に示されるように、その前部に設けられた円筒部３８に磁石から成る磁気センサーＳ2 が嵌合され、該指示板３３の中心の挿通孔３９に関して前記磁気センサーＳ2 と反対の部分は、所定中心角だけ厚肉に形成されて、該磁気センサーＳ2 とのバランスを図るためのバランスウェイト部４１となっている。また、前記一対のケース単体３１の後半部は、前記指示板３３の四分円に対応する四分円盤状になっていて、各ケース単体３１の外周面には、前記挿入溝３７に挿入された支持軸４２と直交する水平線に対して対称な位置に十字状をした探知確認マーク４３（図１４参照）がそれぞれ設けられている。指示板３３の外周縁における前記一対の探知確認マーク４３と対応する位置には、それぞれ探知確認片４４が半径方向に差し込まれている。
【００１７】
上記指示板３３は、一対のケース単体３１を組み付けた収納ケース３２に細棒状の前記支持軸４２を介して支持されている。即ち、図１４及び図１６に示されるように、指示板３３の挿通孔３９に挿通された支持軸４２を水平に挿入しておいて、一方のケース単体３１に設けられた左右の当接壁３５の間の指示板挿入溝３６に指示板３３を垂直にして挿入すると共に、当接壁３５の上端面に形成された支持軸挿入溝３７に細棒状の前記支持軸４２を挿入しておいて、他方のケース単体３１を反転させて、一対のケース単体３１を組み付ける。これにより、指示板３３は、図１７に示されるように、その側面が左右の当接壁３５に当接する範囲（θ1)において左右に振れ動くと共に、図１８に示されるように、そのバランスウェイト部４１の段差部が当接壁３５に当接する範囲（θ2)において支持軸４２を中心にして周方向に振れ動く（回動する）。
【００１８】
また、前記ケース単体３１の前端面３１ａは、平面状に形成されて、該前端面３１ａの上端部であって、しかも該ケース単体３１の幅方向の中央部には、角錐状の突起片４５ａが該前端面３１ａから前方に突出して設けられている。この突起片４５ａの上端面は、ケース単体３１の密着端面３４と同一平面に形成されている。このため、一対のケース単体３１の一方を反転させて一体に組み付けると、各ケース単体３１に設けられた突起片４５ａは、一体の突起体４５となり、該突起体４５は、被探知部を探知して左右方向及び周方向の双方への振れ動きが停止した磁気センサーＳ2 の直上（直前）に配置されることになる。また、一対のケース単体３１を一体に組み付けた収納ケース３２の前端面には、弾性材から成るクッションシート４６が貼り付けられて、前記突起体４５は、該クッションシート４６の中央部に設けられた孔４７内に入り込んでいる。なお、図１４及び図１５において、４８は、ケース単体３１の前端面３１ａと同一面となるように設けられた罫書案内用突起体であって、前記磁気センサーＳ2 による探知位置を補助的に罫書く際の中間位置を表示するのに使用される。
【００１９】
そして、上記ボックス探知器Ａ3 を用いて、壁裏に配置された前記ボックスＢ1 の磁石Ｍ2(第２被探知部）を磁気探知するには、以下のようにして行う。本ボックス探知器Ａ3 とは別の金属探知器（図示せず）等によって、ボックスＢ1 の金属箔Ｆ（第１被探知部）を金属探知する等して、ボックスＢ1 の概略位置を探知しておく。そして、ボックスＢ1 の概略位置が金属探知された壁表においてボックス探知器Ａ3 を上下左右に移動させて、磁気センサーＳ2 がボックスＢ1 の磁石Ｍ2(第２被探知部）を磁気探知すると、図１９に示されるように、指示板３３の左右方向及び周方向の双方への振れ動きが停止する。これにより、ボックス探知器Ａ3 が壁裏に配置されたボックスＢ1 の磁石Ｍ2(第２被探知部）を探知したことが確認される。
【００２０】
ボックス探知器Ａ3 の磁気センサーＳ2 がボックスＢ1 の磁石Ｍ2(第２被探知部）を磁気探知して、指示板３３の振れ動きが停止した状態において、収納ケース３２の全体を前方に押圧させると、図２０に詳細に示されているように、該収納ケース３２の前端面に貼り付けられているクッションシート４６が圧縮されて、その中央の孔４７に入り込んでいた突起体４５が相対的に突出して、壁材Ｗに突刺される。これにより、壁裏のボックスＢ1 の磁石Ｍ2(第２被探知部) の位置（Ｃ1)が壁表に刻設される。この表示位置（Ｃ1)を中心にして、壁材Ｗに円穿孔を行う。
【００２１】
上記した各ボックス探知器Ａ1 〜Ａ3 は、いずれも壁裏に設置されたボックスＢ1,Ｂ2 の開口を壁表に臨ませるための円穿孔の中心を探知するものであるが、以下に記載のボックス探知器Ａ4,Ａ5 は、いずれもボックスＢ3,Ｂ4 の外形を罫書き出すための基準点を探知するものである点において、上記各ボックス探知器Ａ1 〜Ａ3 とは異なる。図２２は、ボックスＢ3 の斜視図であり、図２３は、ボックス探知器Ａ4 を使用してボックスＢ3 の外形を罫書くための基準点を探知している状態の側面図であり、図２４は、ボックスＢ3 の外形を罫書く基準点となる一対の磁石Ｍ2 の位置Ｄ1,Ｄ2 が壁表に表示された状態を示す図である。ボックスＢ3 は、図２２に示されるように、上下方向に沿って相対向する周壁５の外側に磁石埋設部８がそれぞれ張り出して設けられ、各磁石埋設部８にそれぞれ磁石Ｍ1 が埋設された構成である。この一対の磁石Ｍ1 は、前記ボックスＢ1 の金属箔Ｆに相当するものであって、ボックスＢ3 の全体位置を探知するための被探知部を構成している。
【００２２】
上記ボックスＢ3 の外形を罫書くための基準点を探知するためのボックス探知器Ａ4 は、図２３に示されるように、探知器本体１１の前面に一対の磁気センサーＳ2 が前記一対の磁石Ｍ1 と同一間隔をおいて設けられ、各磁気センサーＳ2 の中央部に突起体１４がそれぞれ突設された構成である。また、探知器本体１１の背面には、前記一対の磁気センサーＳ2 がそれぞれ被探知部である各磁石Ｍ1 の位置を探知したことを確認するための一対の探知確認ランプＬ2 が設けられている。そして、図２３に示されるように、ボックス探知器Ａ4 の各磁気センサーＳ2 が壁裏のボックスＢ3 の各磁石Ｍ1 の位置を探知した状態において、探知器本体１１を壁材Ｗに対して押圧させると、図２４に示されるように、各磁気センサーＳ2 の中央部に突設された各突起体１４が壁材Ｗに突刺されて、壁裏のボックスＢ3 の各磁石Ｍ1 の位置Ｄ1,Ｄ2 が壁表に刻設される。このようにして壁表に表示された２つの各位置Ｄ1,Ｄ2 を基準にすると、壁裏のボックスＢ3 の外形を壁表に罫書くことができる。
【００２３】
引き続いて、ボックス探知器Ａ5 について説明する。図２５は、ボックスＢ4 の斜視図であり、図２６は、ボックス探知器Ａ5 の斜視図であり、図２７は、ボックスＢ4 の外形を罫書く基準となる一対の金属箔Ｆの両端部の各位置Ｄ1 〜Ｄ4 が壁表に表示された状態を示す図である。ボックスＢ4 は、前記ボックスＢ1 において、円穿孔の中心を表示する磁石Ｍ2(第２被探知部）と、これに関連する部分のみを欠落させた構成であって、ボックス開口４の上下端部にそれぞれ金属箔Ｆが横方向に沿って貼り付けられている。
【００２４】
また、ボックス探知器Ａ5 は、上記ボックスＢ4 の上下の各金属箔Ｆの両端部である計４箇所を探知することにより、壁裏のボックスＢ4 の位置を探知するものであって、厚板状をした探知器本体５１の前面に、前記４箇所の各位置を探知するための金属センサーＳ1 がそれぞれ設けられ、各金属センサーＳ1 の中央部に突起体５２が突設された構成である。探知器本体５１の背面側には、手持ち部５３が一体に設けられ、該手持ち部５３の背面には、前記各金属センサーＳ1 が金属箔Ｆを探知したことを確認するための４つの探知確認ランプ（図示せず）が設けられている。
【００２５】
上記ボックス探知器Ａ5 を壁表において上下左右に移動させて、４つの探知確認ランプの全てが点灯することにより、壁裏のボックスＢ4 の位置が探知され、この状態において、探知器本体５１を壁材Ｗに対して押圧させると、各突起体５２によって前記一対の金属箔Ｆの両端部の各位置Ｄ1 〜Ｄ4 が壁表に表示される。このようにして壁表に表示された４つの各位置Ｄ1 〜Ｄ4 を基準にすると、壁裏のボックスＢ4 の外形を壁表に罫書くことができる。
【００２６】
なお、上記各探知例においては、いずれも壁裏に配置されたボックスを探知するものであるが、被探知対象物は、ボックスに限られず、壁裏に隠蔽状態で配置されて、金属又は磁気探知が可能である被探知部を備えているものであれば、何であってもよい。
【００２７】
【発明の効果】
本発明に係るボックス探知器は、そのセンサー部の直上に、探知位置を壁材に表示するための突起体が設けられているので、該センサー部により、壁裏のボックスの被探知部を探知した状態において、該センサー部の直上に設けられた突起体の突刺によって、該探知位置を壁材に刻設して直接に表示できる。このため、壁材に表示された被探知部の位置が正確であると共に、探知位置の表示操作自体も容易となる。
【図面の簡単な説明】
【図１】本発明に係るボックス探知器Ａ1 を使用してボックスＢ1 の磁石Ｍ2(第２被探知部）を探知している状態の斜視図である。
【図２】探知器Ａ1 の斜視図である。
【図３】ボックスＢ1 の斜視図である。
【図４】ボックス探知器Ａ1 の金属センサーＳ1 によって、壁裏のボックスＢ1 の概略位置を探知している状態を示す側面図である。
【図５】壁裏のボックスＢ1 の磁石Ｍ2(第２被探知部）の位置を探知した状態で、探知器本体１１を壁材Ｗに対して押圧させて、壁表に磁石Ｍ2(第２被探知部）の位置（Ｃ1)を刻設している状態を示す側面図である。
【図６】壁表に刻設された磁石Ｍ2 の位置（Ｃ1)を中心にして穿孔具Ｅにより壁材Ｗを穿孔している状態を示す側面図である。
【図７】壁表に磁石Ｍ2 の位置（Ｃ1)が刻設されたことを示す正面図である。
【図８】壁表に刻設された磁石Ｍ2 の位置（Ｃ1)を中心に円穿孔して、壁材Ｗに透孔Ｈが形成された状態を示す正面図である。
【図９】ボックスＢ2 の斜視図である。
【図１０】壁裏のボックスＢ2 の磁石Ｍ2(第２被探知部) の位置がボックス探知器Ａ1 によって探知されて、その位置（Ｃ0)を壁表に刻設している状態を示す側面図である。
【図１１】壁裏のボックスＢ2 の磁石Ｍ2(第２被探知部) の位置（Ｃ0)が壁表に刻設されたことを示す正面図である。
【図１２】ボックス探知器Ａ2 の使用状態を示す斜視図である。
【図１３】同じく側面図である。
【図１４】ボックス探知器Ａ3 の分解斜視図である。
【図１５】ボックス探知器Ａ3 の全体斜視図である。
【図１６】ボックス探知器Ａ3 の断面図である。
【図１７】指示板３３が左右方向に振れ動くことを説明するための平面模式図である。
【図１８】指示板３３が周方向に振れ動くことを説明するための側面模式図である。
【図１９】ボックス探知器Ａ3 によって壁裏のボックスＢ1 の磁石Ｍ2(第２被探知部）が探知された状態を示す側面図である。
【図２０】ボックス探知器Ａ3 によって壁裏のボックスＢ1 の磁石Ｍ2(第２被探知部）を探知した状態において、収納ケース３２の全体を押圧させて、突起体４５を壁材Ｗに突刺した状態を示す側面断面図である。
【図２１】壁裏のボックスＢ1 の磁石Ｍ2(第２被探知部）の位置（Ｃ1)が壁表に刻設された状態を示す正面図である。
【図２２】ボックスＢ3 の斜視図である。
【図２３】ボックス探知器Ａ4 によって壁裏のボックスＢ3 の一対の磁石Ｍ1(第１被探知部）が探知されて、一対の突起体１４が壁材Ｗに突刺された状態を示す側面図である。
【図２４】壁裏のボックスＢ3 の一対の磁石Ｍ1(第１被探知部）の位置Ｄ1,Ｄ2 が壁表に刻設された状態を示す正面図である。
【図２５】ボックスＢ4 の斜視図である。
【図２６】ボックス探知器Ａ5 の斜視図である。
【図２７】ボックス探知器Ａ5 によって、壁裏のボックスＢ4 の上下の金属箔Ｆの両端部の各位置Ｄ1 〜Ｄ4 が壁表に刻設された状態を示す正面図である。
【図２８】従来のボックス探知器Ａ’の探知位置を罫書き具６１を使用して壁表に罫書く状態を示す側面図である。
【符号の説明】
Ａ1 〜Ａ5 ：ボックス探知器
Ｂ1 〜Ｂ4 ：ボックス
Ｆ：金属箔（第１被探知部）
Ｍ1 ：磁石（第１被探知部）
Ｍ2 ：磁石（第２被探知部）
Ｓ1 ：金属センサー
Ｓ2 ：磁気センサー
Ｗ：壁材
１４，４５，５２：突起体（表示手段）
２２：貫通孔（表示手段）
３２：収納ケース（探知器本体）
４６：クッションシート
【図１】
0003544276.tif 000002
【図２】
0003544276.tif 000003
【図３】
0003544276.tif 000004
【図４】
0003544276.tif 000005
【図５】
0003544276.tif 000006
【図６】
0003544276.tif 000007
【図７】
0003544276.tif 000008
【図８】
0003544276.tif 000009
【図９】
0003544276.tif 000010
【図１０】
0003544276.tif 000011
【図１１】
0003544276.tif 000012
【図１２】
0003544276.tif 000013
【図１３】
0003544276.tif 000014
【図１４】
0003544276.tif 000015
【図１５】
0003544276.tif 000016
【図１６】
0003544276.tif 000017
【図１７】
0003544276.tif 000018
【図１８】
0003544276.tif 000019
【図１９】
0003544276.tif 000020
【図２０】
0003544276.tif 000021
【図２１】
0003544276.tif 000022
【図２２】
0003544276.tif 000023
【図２３】
0003544276.tif 000024
【図２４】
0003544276.tif 000025
【図２５】
0003544276.tif 000026
【図２６】
0003544276.tif 000027
【図２７】
0003544276.tif 000028
【図２８】
0003544276.tif 000029